(57)【要約】本発明は、液体又は粒状物質のような流体物質の運搬及び貯蔵用のコンテナに関し、流体物質用の入口（９）及び出口（１５）を備えたコンテナモジュール（１）と支持ボード（２）とを含み、支持ボード（２）は、コンテナモジュール（１）に恒久的に取り付けられ、或いはコンテナモジュール（１）と一体であり、コンテナモジュール（１）が載った支持ボード（２）は、出口でない側に二つの車輪（３）を備え、出口側に二つの支持部（５）及びブラケット（６）を備える。
2004505858.tif 000002
【特許請求の範囲】
【請求項１】
液体又は粒状物質のような流体物質の運搬及び貯蔵用のコンテナであって、前記流体物質用の入口及び出口を備えたコンテナモジュールと、支持ボードと、を有し、前記支持ボードが、前記コンテナモジュールに恒久的に取り付けられ、或いは前記コンテナモジュールと一体であるコンテナにおいて、
前記コンテナモジュールが載っている前記支持ボードは、
出口でない側に、二つの車輪（３）を備え、
出口側に、二つの支持部（５）を備え、
前記出口側に、ブラケット（６）を備える、
ことを特徴とするコンテナ。
【請求項２】
持上げ手段が、前記ブラケットに取り付けられる、
ことを特徴とする請求項１記載のコンテナ。
【請求項３】
前記持上げ手段は、持上げ用ボギーである、
ことを特徴とする請求項２記載のコンテナ。
【請求項４】
前記コンテナモジュールの上側は、前記出口側に凹部（１１）を備え、前記凹部（１１）の形状は、前記支持部（５）の形状と補足し合う、ことを特徴とする請求項１乃至３のいずれか一項に記載のコンテナ。
【請求項５】
前記コンテナモジュールの上側は、前記出口でない側に凹部（８）を備え、前記凹部（８）の形状は、前記車輪（３）のものと補足し合う、ことを特徴とする請求項１乃至４のいずれか一項に記載のコンテナ。
【請求項６】
前記コンテナのジュールは、前記出口でない側に、前記コンテナモジュールの両側に突出しないハンドルを備える、ことを特徴とする請求項１乃至５のいずれか一項に記載のコンテナ。
【請求項７】
流体物質の運搬及び貯蔵のための、請求項１乃至６のいずれかに記載のコンテナの使用方法。
【請求項８】
前記流体物質は、液体パン酵母又は液体パン向上剤である、請求項７記載のコンテナの使用方法。
【発明の詳細な説明】
【０００１】
本発明は、液体又は粒状物質のような流体物質の運搬及び貯蔵用のコンテナに関し、流体物質用の入口及び出口を備えたコンテナモジュールと、コンテナモジュールに恒久的に取り付けられ、或いは、コンテナモジュールと一体である支持ボードと、を備える。
【０００２】
かかるコンテナは、オランダ国特許明細書第１００１９０３号により公知である。この特許に記載の支持ボードを備えたコンテナの欠点は、コンテナをフォークリフトトラック手段によって移動させなければならないことである。例えば液体パン酵母又は液体パン向上剤の分配及び使用のためにこのようなコンテナの使用中、この欠点は、小規模の製パン所がフォークリフトトラックを使用していないこと、したがって、上述のコンテナを使用することができないということである。
【０００３】
本発明の目的は、上述した欠点のないコンテナを提供することにある。この目的は、支持ボードに、出口でない側に二つの車輪、出口側に二つの支持部を設け、かつまた、出口側にブラケット及び持上げ手段を設けることによって達成される。このコンテナの利点は、持上げ手段によって、コンテナが可搬式であり、一人以上の人によって移動が容易なことであり、これは、小規模の製パン所で特に有利であることである。コンテナの特徴は、普通のドア開口部の中及び戸口の階段上を移動させることができ、かつまた、下り坂及び上り坂をも移動させることができることである。
【０００４】
コンテナモジュールの容量は、例えば２５０リットルから１０００リットルまで変えることができ、好ましくは、容積は、約４００〜５００リットルである。支持ボードの寸法形状は、好ましくは一定のままであり、所望の容量は、コンテナモジュールの高さ寸法によって定められる。ただし、幅は、好ましくは、普通のドア開口部の寸法以下である。幅は、７０ｃｍと９０ｃｍとの間で、好ましくは７５ｃｍと８０ｃｍとの間で、より好ましくは７７ｃｍと７９ｃｍとの間で変えることができる。
【０００５】
コンテナモジュールは、厚さ４〜１０ミリメートルの肉厚を有し、好ましくは５〜１０ミリメートル、より好ましくは６〜１０ミリメートルの肉厚を有する。
【０００６】
コンテナモジュールは、剛性のプラスチック材料、好ましくは、上述した肉厚の場合、コンテナの中身が見えるように透明であるプラスチック材料で作られるのがよい。コンテナが液体イーストや液体パン向上剤に使用される場合、又は、食品産業における他の用途に使用される場合、そのコンテナを、例えば線状低密度ポリエチレン（ＬＬＤＰＥ）のような食品用銘柄の合成材料で製造することが好ましい。
【０００７】
コンテナモジュールの構造は、定置貯蔵の場合と運搬の場合の両方で、充填したコンテナを二つ高く積み重ねることができるようになっている。空の場合、コンテナを最大五段積み重ねることができる。その上、好ましくは、コンテナモジュールの底部は、完全な空を達成することができるように作られている。
【０００８】
コンテナモジュールの入口は、コンテナモジュールの上側の、蓋によって閉じることができる充填孔からなるのがよく、充填孔は、例えば１５０ｍｍよりも小さくなく、好ましくは２００ｍｍよりも小さくない。コンテナモジュールの出口は、蛇口からなるのがよく、好ましくは、蛇口は、少なくとも毎分５０リットル、好ましくは毎分９０リットル、液体流れを流通させることができる。
【０００９】
コンテナは、例えば少なくとも１５０ｍｍ、好ましくは少なくとも２００ｍｍの二つの車輪を出口でない側に有する。車輪は、好ましくはナイロンのような合成材料で作られ、かつ、コンテナを移動させるのに必要な力が最小となるようにベアリングを備える。コンテナは、二つの支持部を出口側に有し、それ故、コンテナは、定置の貯蔵中及び運搬中、安定している。これらの支持部は、コンテナが、下になっているコンテナの上側に積み重ねられたときに、支持部が、下になっているコンテナの上側を把持することができるように形成され、それ故、コンテナはまた、積み重ねられたときに安定である。
【００１０】
コンテナは、ブラケットを出口側に位置させて、持上げ手段、好ましくは持上げボギーを使用して、コンテナを移動させることを可能にする。これは、持上げ点をコンテナの正面に、好ましくはコンテナの出口側から１５〜３０ｃｍに位置させることを意味し、これは、この装置の梃子作用により、所要の持上げ力を、持上げ点がコンテナの下になっている装置と比べて減少させるという利点を有する。
【００１１】
その上、コンテナモジュールは、出口でない側に、コンテナモジュールの両側で突出しないハンドルを備えるのがよい。
【００１２】
本発明によるコンテナの例示の実施形態を、以下に図面を参照して、より詳細に以下に説明する。
【００１３】
図１に示す約５００リットルの容量のコンテナは、支持ボード（２）に取り付けられたコンテナモジュール（１）よりなる。支持ボードは、二つの車輪（３）を備え、そして、出口側（４）に二つの支持部（５）、ブラケット（６）及び持上げ用ボギー（７）を備える。コンテナモジュール（１）の上側には、蓋（９）付きの充填孔及び空気抜き（１０）が設けられ、コンテナモジュールは、出口側に、バルブ（１５）付きの取出し孔を備える。
【００１４】
コンテナの上側には、出口でない側に二つの凹部（８）が設けられ、出口側に二つの凹部（１１）が設けられている。
【００１５】
図２は、二つの積み重ねたコンテナを示し、下側のコンテナが、ブラケット（６）及び持上げ用ボギー（７）を備えている。ブラケット（６）は、持上げ用ボギー（７）のボール（１３）が係合し得るキャップ（１２）を備える。上側のコンテナの車輪（３）は、下側のコンテナの凹部（８）に落ち込み、同様に、上側のコンテナの支持部（５）は、下側のコンテナの凹部（１１）に係合し、そのようにして、安定した積み重ねが作られる。さらに、コンテナモジュールは、出口側に傾斜した底部（１４）を有する。図３のコンテナの上側図は、車輪（３）、蓋（９）及び空気抜き（１０）、それにブラケット（６）及び持上げ用ボギー（７）をも示す。
【図面の簡単な説明】
【図１】
コンテナの斜視図である。
【図２】
二つの積み重ねたコンテナの側面図である。
【図３】
コンテナの上側図である。
【国際公開パンフレット】
2004505858.tif 000003
2004505858.tif 000004
2004505858.tif 000005
2004505858.tif 000006
2004505858.tif 000007
2004505858.tif 000008
2004505858.tif 000009
2004505858.tif 000010
2004505858.tif 000011
2004505858.tif 000012
2004505858.tif 000013
【国際調査報告】
2004505858.tif 000014
2004505858.tif 000015
2004505858.tif 000016